(57)【特許請求の範囲】
【請求項１】
ナット部を有する緩み止めナットに駆動力を伝達するナット取外し工具であって、緩み止めナットの内面側にコイルスプリングを有し、当該コイルスプリングの一端が緩み止めナットに係止され、かつ他端が緩み止めナットの外部に突出する構成を備える緩み止めナットが挿入可能な大円形穴と、当該大円形穴に連なる段部とを有するナット取外しグリップを備え、段部には前記コイルスプリングと前記ナット部の駆動面とに係合可能な係合部を配置することを特徴とするナット取外し工具。
【請求項２】
前記緩み止めナットは、当該緩み止めナットのナット部より小径でかつこれと一体のリング部を有し、前記ナット取外しグリップは前記リング部が挿入可能な小円形穴を有することを特徴とする請求項１に記載のナット取外し工具。
【請求項３】
前記係合部は、大円形穴の中心を挟んで対向する位置に配置されることを特徴とする請求項１または２に記載のナット取外し工具。
【請求項４】
前記係合部は、段部から延びる係合ピンであることを特徴とする請求項１〜３のいずれかに記載のナット取外し工具。
【請求項５】
前記係合部は、段部から延びる係合ピンと、この係合ピンと併置されて係合ピンの側部の空間を塞ぐ阻止ピンとからなることを特徴とする請求項１〜３のいずれかに記載のナット取外し工具。
【請求項６】
前記係合部は、段部から所定の間隔をおいて延びる２本の係合ピンでなっており、これら係合ピンは緩み止めナットのナット部の一つの駆動面に対して配置されることを特徴とする請求項１〜３のいずれかに記載のナット取外し工具。
【発明の詳細な説明】
【技術分野】
【０００１】
本発明は、ボルトとナットとの締結構造にあって、緩み防止機能を備えるナットを簡単に取外すことができるナット取外し工具に関するものである。
【背景技術】
【０００２】
従来、ボルトとナットとの締結構造にあって、緩み防止の対策としては、２個のナットを使用して締結するダブルナット法が採用されている。このダブルナット法によれば、一定の緩み止め効果が得られるものの、締結構造に振動等が加わる環境下にあっては、十分な緩み止め対策とはなっていないばかりか、いたずら等によってナットが緩められてしまうというような問題が生じている。これら問題を解決するために、締結構造の防護装置として、特許文献１に記載の防護装置が創案されている。この防護装置２００は、図１４に示すように２枚の被締結物２０２ａ、２０２ｂをボルト２０３と２個のナット２０４，２０４とにより締結する締結構造にあって、そのボルト２０３の先端部を内包するリング体２１０を備えている。このリング体２１０には、その内面側にボルト２０３の径よりもわずかに小さい内径を持つ約２巻きのコイルスプリング２０７が、その軸方向の動きを規制されて配置されている。また、前記リング体２１０の内面側には、後退位置にあるコイルスプリング２０７の後退端に当接するように突起部（図示せず）が設けられている。この突起部は、リング体２１０の回転にともなって、コイルスプリング２０７の後退端を押して、リング体２１０とコイルスプリング２０７とを一体に回転させるように構成されている。
【０００３】
この防護装置２００では、被締結物２０２ａ，２０２ｂをボルト２０３と２個のナット２０４，２０４とにより締結した後に、ボルト２０３の先端側からリング体２１０を挿入し、コイルスプリング２０７をボルト２０３に当接させる。この状態で、リング体２１０を回転させると、コイルスプリング２０７が一体に回転するとともに、ボルト２０３のねじ山２０３ａに沿って螺合しながらリング体２１０とともにその軸方向に前進する。このリング体２１０がナット２０４に当接すると、その後はコイルスプリング２０７のみがボルト２０３のねじ山２０３ａに沿って螺合しながらボルト２０３およびリング体２１０に対してその軸方向に前進する。これにより、コイルスプリング２０７の先端がリング体２１０に当接してこれを押圧する。その後も、リング体２１０を回転させると、コイルスプリング２０７が圧縮されてその内径が広がるので、そのコイル長さが短くなって、コイルスプリング２０７の後退端がボルト２０３に対して前進する。このコイルスプリング２０７の後退端の軸方向の移動幅が突起部の軸方向幅を超えると、コイルスプリング２０７の後退端が突起部から離脱する。この時、リング体２１０はコイルスプリング２０７を前述の状態を保って空回りすることとなり、防護機能を持つ締付けが完了する。この締付け状態にあっては、コイルスプリング２０７の圧縮により生じる押圧力がリング体２１０を介してナット２０４，２０４に加わるので、前述の締結構造に振動が加わっても、ナット２０４，２０４が緩まないばかりか、いたずら等によってもナット２０４，２０４が緩められるようなことはない。
【０００４】
しかしながら、前述の防護装置２００を使用する締結構造を備える製品の保守管理を行う際には、防護装置２００を取外して、ボルト２０３からナット２０４，２０４を取外す必要が生じている。この時、前述の防護装置２００ではリング体２１０が空回りすることから、その都度リング体２１０を破壊してボルト２０３の先端に巻付いたコイルスプリング２０７を取外し、その後にナット２０４，２０４をボルト２０３から取外さねばならないというような問題が生じている。
【先行技術文献】
【特許文献】
【０００５】
【特許文献１】特開２０００−８７９４４号公報
【発明の概要】
【発明が解決しようとする課題】
【０００６】
この問題を解決するため、２枚の被締結物をボルトと緩み止めナットとにより締結する締結構造（図５に記載の締結構造を参照して説明する）が創案されている。この締結構造に使用される緩み止めナット４は、ボルト３に螺合するめねじ部（図示せず）を持つナット部５と、これと一体に設けられるリング部６とからなっている。前記リング部６には、その内面側にコイルスプリング７が配置され、その一端がリング部６の上端に固定され、他端がナット部５およびリング部６の接続位置近くに設けられた切欠窓６ａから外部に突出するように構成されている。この締結構造にあっては、緩み止めナット４のナット部５がボルト３に螺合すると、コイルスプリング７がボルト３のねじ山３ａ，３ａ間に巻付くように螺合しながら前進してナット部５が被締結物２ａに当接し、２枚の被締結物２ａ，２ｂをしっかりと締結することができる。
【０００７】
また、この締結構造では緩み止めナット４の緩み止め機能を果たすコイルスプリング７の一端が緩み止めナット４のリング部６に固定されている。そのため、当該締結構造を使用する製品の保守管理の際には、緩み止めナット４を取外すために、１２角のボックスレンチ（図示せず）を使用できる場合があるが、コイルスプリング７の突出量が少ないと、このボックスレンチでは対応することができない。このような場合には、コイルスプリング７の巻付きをペンチ等の工具により緩めながら、ナット部５を六角レンチ（図示せず）により緩み方向に回転させることにより、緩み止めナット４をボルト３から取外すことができる。しかしながら、この作業を行うときには、作業者は両手を使わねばならず、大変面倒な作業となっており、この緩み止めナット４を簡単に取外すことができるナット取外し工具の開発が要望されている。
【課題を解決するための手段】
【０００８】
本発明のナット取外し工具は、上記要望に沿って発明されたもので、ナット部を有する緩み止めナットに駆動力を伝達するナット取外し工具であって、緩み止めナットの内面側にコイルスプリングを有し、当該コイルスプリングの一端が緩み止めナットに係止され、かつ他端が緩み止めナットの外部に突出する構成を備える緩み止めナットが挿入可能な大円形穴と、当該大円形穴に連なる段部とを有するナット取外しグリップを備え、段部には前記コイルスプリングと前記ナット部の駆動面とに係合可能な係合部を配置することを特徴としている。この構成により、複数枚の被締結物をボルトとともに締結する締結構造をなす緩み止めナットに対して、係合部がコイルスプリングよりも緩み方向の回転後方に位置するようにナット取外しグリップを押し込むと、係合部がナット部の上面に当接する。この状態で、ナット取外しグリップを回転させると、係合部はその高さ位置で回転しながら、コイルスプリングと係合し、コイルスプリングの一端を緩み方向に押し開く。この間に、係合部がナット部の駆動面に沿って深く入り込み、ナット取外しグリップの緩み方向の駆動力がナット部の駆動面から緩み止めナットに効率よく伝達されて、簡単に緩み止めナットをボルトから取外すことができる。
【０００９】
本発明に係る緩み止めナットは、当該緩み止めナットのナット部より小径でかつこれと一体のリング部を有し、また本発明に係るナット取外しグリップは前記リング部が挿入可能な小円形穴を有する構成であることが望ましい。これら構成により、ナット取外しグリップは前記リング部に案内されて円滑に緩み方向に回転して、コイルスプリングを無理なく押し開くことができる。
【００１０】
また、本発明に係る係合部は緩み止めナットのナット部の対向する二つの駆動面と係合してナット部にナット取外しグリップの回転を効率よく伝達するために、大円形穴の中心を挟んで対向する位置に配置されることが望ましい。
【００１１】
本発明に係る係合部は、製作容易で安価な構造とする好適例として、段部から延びる係合ピンであることが望ましい。
【００１２】
また、本発明に係る係合部は製作容易で安価な構造とする好適例として、段部から延びる係合ピンと、この係合ピンと併置されて係合ピンの側部の空間を塞ぐ阻止ピンとからなる構成であることが望ましい。この場合、係合ピンおよび阻止ピン間の間隙および阻止ピンの軸径を係合ピン、阻止ピンのいずれかがコイルスプリング、ナット部の上面のいずれかに当接するように設定しておく。この状態で、ナット取外しグリップを緩み止めナットのナット部の位相に関係なくナット部に押し込んでも、いずれかの係合ピンまたはいずれかの阻止ピンがコイルスプリングの上面に当接するか、係合ピンがリング部から広がるナット部の上面に当接する。この状態で、ナット取外しグリップを回転させると、コイルスプリングの上面に当接する係合ピンもコイルスプリングを乗り越えてナット部の上面に達して、その高さ位置で回転する。この間に、コイルスプリングよりも回転後方に位置する係合ピンがコイルスプリングと係合し、コイルスプリングの一端を緩み方向に押し開く。この間に、係合ピンおよび阻止ピンがナット部の駆動面に沿って深く入り込み、ナット取外しグリップの緩み方向の駆動力がナット部の駆動面から緩み止めナットに効率よく伝達されて、簡単に緩み止めナットをボルトから取外すことができる。
【００１３】
その他に、本発明に係る係合部は段部から所定の間隔をおいて延びる２本の係合ピンでなっており、これら係合ピンは緩み止めナットのナット部の一つの駆動面に対して配置される構成であることが望ましい。この構成によれば、ナット取外しグリップを緩み止めナットのナット部の位相に関係なくナット部に押し込んでも、いずれかの係合ピンがリング部からその外周方向に広がるナット部の上面に当接するか、コイルスプリング上に乗り上げる。この状態で、ナット取外しグリップを緩み方向に回転させると、係合ピンがナット部の上面に当接する時にはその高さ位置で回転して、コイルスプリングに係合し、その一端を緩み方向に押し開く。また、係止ピンがコイルスプリング上に乗り上げる時にはコイルスプリングを乗り越えてナットの上面に当接した後に、当該係止ピンとともに緩み方向の回転後方に位置する別の係合ピンがその高さ位置で回転して、コイルスプリングに係合し、その一端を緩み方向に押し開く。この間に、２本の係合ピンがナット部の駆動面の中央位置近くになると、ナット部の上面からら外れる。そのため、これら係合ピンが駆動面に沿って押し込まれてコイルスプリングに深く係合しながら、緩み方向に回転する。これにより、コイルスプリングが十分に押し開かれた状態で、ナット取外しグリップの緩み方向の駆動力がナット部に伝達されるので、緩み止めナットを緩ませて、これをボルトから取外すことができる。
【発明の効果】
【００１４】
以上説明した本発明によれば、複数枚の被締結物をボルトと緩み止めナットとにより締結する締結構造にあって、緩み止めナットをボルトから簡単に取外すことができるナット取外し工具を提供することができる。
【図面の簡単な説明】
【００１５】
【図１】本発明の第１の実施形態に係るナット取外し工具が緩み止めナットに押し込まれた状態の一部を切り欠いた説明図。
【図２】本発明の第１の実施形態に係るナット取外し工具の下面図。
【図３】図２のＡ−Ａ線断面図。
【図４】図２のＢ−Ｂ線断面図。
【図５】本発明の第１の実施形態に係る締結構造の説明図。
【図６】図１のＣ−Ｃ線断面図。
【図７】本発明の第１の実施形態に係るナット取外し工具がコイルスプリングを緩み方向に回転させた状態を説明する要部拡大断面図。
【図８】本発明の第１の実施形態に係るナット取外し工具がコイルスプリングを緩み方向に回転させた状態の一部を切欠いた説明図。
【図９】本発明の第２の実施形態に係るナット取外し工具の下面図。
【図１０】本発明の第２の実施形態に係るナット取外し工具が緩み止めナットに押し込まれた状態の一部を切欠いた要部断面図。
【図１１】本発明の第３の実施形態に係るナット取外し工具の下面図。
【図１２】本発明の第３の実施形態に係る締結構造を構成する緩み止めナットの内部を説明する断面図。
【図１３】本発明の第３の実施形態に係るナット取外し工具がコイルスプリングを緩み方向に回転させた状態の一部を切欠いた要部拡大断面図。
【図１４】従来の防護装置付きのボルトおよびナットでなる締結構造を説明する一部を切欠いた断面図。
【発明を実施するための形態】
【００１６】
（第１の実施形態）
【００１７】
以下、本発明の第１の実施形態に係るナット取外し工具の一例のナット取外しグリップを図面に基づき説明する。図１ないし図５に示すように、１はナット取外しグリップ（以下、グリップという）であり、このグリップ１は２枚の被締結物２ａ，２ｂをボルト３と緩み止めナット４とにより締結する締結構造にあって、その緩み止めナット４をボルト３から取外す際に用いられる。この締結構造をなす緩み止めナット４は、ボルト３に螺合するめねじ部５ｂを持つ外形状が六角形のナット部５と、これと一体に設けられ、かつナット部５の六角形に内接する外形状を持つリング部６とからなっている。前記リング部６には、ナット部５との接続位置近くでナット部５の駆動面５ａの一つの上端に沿って延びる切欠窓６ａが削設されている。この切欠窓６ａは、リング部６の内部に連通しており、この切欠窓６ａから後記グリップ側エンド７ｃが外部に突出するように配置される。また、前記リング部６の内面側には約３巻のコイル部７ａとリング部側エンド７ｂとグリップ側エンド７ｃとを有するコイルスプリング７が配置されている。前記コイル部７ａは、ボルト３のねじ山３ａのリード角とほぼ同一のリード角を持ち、その内径はボルト３のねじ山外径よりもわずかに小さくなっている。これにより、コイルスプリング７は緩み止めナット４がボルト３に締付けられるにともなって、そのねじ山３ａに螺合して巻付くことができる。前記リング部側エンド７ｂは、コイル部７ａの接線方向に延びる直線部でなっており、リング部６の端面に形成される半径方向に延びる係合溝６ｂにかしめにより固定され（係止されるだけでもよい）、コイルスプリング７がリング部６と一体に回転できる構成が得られている。前記グリップ側エンド７ｃは、前記切欠窓６ａを通ってナット部５の駆動面５ａの中央位置近くから外部に突出し、その先端は後記係合ピン８と係合する位置にあって、切欠窓６ａ内で自由に移動できる構成となっている。
【００１８】
前記グリップ１は、前述の緩み止めナット４の各部に対応する構造を備えており、作業者が手で回転させることにより前記緩み止めナット４に駆動力を伝達できるように構成されている。すなわち、このグリップ１は外周に刻設される網目ローレット１ａを有し、作業者による回転伝達が容易な構成となっている。また、前記グリップ１は緩み止めナット４のナット部５が挿入可能な大円形穴１ｂと、緩み止めナット４のリング部６が挿入可能な小円形穴１ｃと、ボルト３が挿通可能な挿通穴１ｄとを有している。前記大円形穴１ｂは、緩み止めナット４に係止されるコイルスプリング７のグリップ側エンド７ｃが当接しない十分な大きさの内径を有し、グリップ１の回転に支障のない構成となっている。前記小円形穴１ｃは、緩み止めナット４のリング部６を案内する大きさの内径を有しており、リング部６が案内される時には、グリップ１が緩み方向に円滑に回転する構成が得られる。これにより、後記係合ピン８がナット部５の一つの駆動面５ａに対して配置されるだけでも、効率よい緩み方向の回転伝達が可能となっている。さらに、前記グリップ１は前記大円形穴１ｂおよび小円形穴１ｃ間に形成される第１段部１ｅを有しており、この第１段部１ｅには前記コイルスプリング７と係合する係合部の一例として係合ピン８およびこれと併置される阻止ピン９が大円形穴１ｂの壁面に沿って延びるように設けられている。
【００１９】
前記係合ピン８は、緩み止めナット４のナット部５が嵌合可能なようにナット部５の六角形に対応する位置で、かつ大円形穴１ｂの中心を挟んで対向する位置に対をなして配置されている。前記係合ピン８および阻止ピン９はナット部５の駆動面５ａすべてに対して配置する必要はなく、少なくとも一つの駆動面５ａ、好ましくは少なくとも対向する一対の駆動面５ａ，５ａにあればよい。また、この係合ピン８はナット部５の駆動面５ａから突出するコイルスプリング７のグリップ側エンド７ｃに係合可能に構成されており、グリップ１を緩み方向に回転させると、係合ピン８が一体に回転してコイルスプリング７のグリップ側エンド７ｃを緩み方向に押し開くことができる。前記阻止ピン９は、係合ピン８の側部の空間を塞ぐように配置されており、係合ピン８よりも小径となっている。この阻止ピン９の軸径および係合ピン８との間隙は、グリップ１を緩み止めナット４のナット部５の位相に関係なくナット部５に押し込でも、係合ピン８、阻止ピン９のいずれかがコイルスプリング７、ナット部５の上面のいずれかに当接するように設定されている。これにより、グリップ１を緩み方向に回転させるだけで、係合ピン８またはその緩み方向の回転後方に位置する別の係合ピン８ａがコイルスプリング７を緩み方向に押し開く位置でコイルスプリング７と係合することができる。前記係合ピン８および阻止ピン９は、製作容易で安価な構造であることから係合部に採用されているが、これらに代えて、同様の作用をなす突起部（図示せず）を削り出し、放電加工等によって大円形穴１ｂ内に設けてもよい。
【００２０】
前記グリップ１には、小円形穴１ｃと挿通穴１ｄとの間に第２段部１ｆが設けられており、係合ピン８がコイルスプリング７と深く係合して緩み止めナット４のリング部６の上端に当接する時に、第１段部１ｅをコイルスプリング７に接触しない位置に留めるように構成されている。また、この第２段部１ｆは前記係合ピン８および阻止ピン９の先端がコイルスプリング７と深く係合する時、グリップ１の駆動力を伝達するのに十分な程度に係合ピン８がナット部５の駆動面５ａと係合できるように構成されている。
【００２１】
上記グリップ１を用いて、２枚の被締結物２ａ，２ｂをボルト３と緩み止めナット４とにより締結する締結構造（図５参照）にあって、その緩み止めナット４をボルト３から取外す際には、図１および図６に示すようにグリップ１を緩み止めナット４のナット部５の位相に関係なくナット部５に押し込む。この時、ナット部５の上面はその駆動面５ａの中央位置付近ではリング部６から外周方向に広がっていない。そのため、係合ピン８および阻止ピン９がナット部５の上面から外れて駆動面５ａに沿って深く入り込む空間が形成されているが、その上方にコイルスプリング７のグリップ側エンド７ｃが位置している。これにより、グリップ１を緩み止めナット４のナット部５に押し込むときには、いずれかの係合ピン８またはいずれかの阻止ピン９がコイルスプリング７の上面に乗り上げるか、係合ピン８がリング部６からその外周方向に広がるナット部５の上面に当接し、係合ピン８および阻止ピン９がいずれの位置にあってもナット部５の駆動面５ａに沿って深く入り込むことはない。この状態で、グリップ１を継続して緩み方向に回転させると、係合ピン８はナット部５の上面に当接する時はもちろんのこと、コイルスプリング７の上面に乗り上げる時にもコイルスプリング７を乗り越えた後にナット部５の上面に達し、その高さ位置で回転する。そのため、前述の係合ピン８または緩み方向の回転後方に位置する別の係合ピン８ａがコイルスプリング７を緩み方向に押し開く位置に達してコイルスプリング７と係合し、ボルト３のねじ山３ａに巻付くコイルスプリング７のグリップ側エンド７ｃを緩み方向に押し開く。これにより、図７に示すようにコイルスプリング７とボルト３との間に隙間が生じ、緩み止めナット４の緩み止め効果が軽減される。この間に、係合ピン８および阻止ピン９はナット部５から外れる個所、すなわち係合ピン８および阻止ピン９が図８に示すようにナット部５の駆動面５ａに沿って深く入り込むことができる空間に達する。この時には、この空間上方にコイルスプリング７のグリップ側エンド７ｃがないので、係合ピン８および阻止ピン９はこの駆動面５ａに沿って深く入り込み、コイルスプリング７およびナット部５の駆動面５ａと深い係合状態を保持する。これにより、グリップ１の緩み方向の駆動力が大円形穴１ｂの中心を挟んで対をなす係合ピン８，８を介してナット部５の駆動面５ａから緩み止めナット４に効率よく伝達されて、緩み止めナット４が緩み方向に回転する。そのため、グリップ１を緩み方向に回転させるだけで簡単に緩み止めナット４をボルト３から取外すことができる。
【００２２】
（第２の実施形態）
【００２３】
本発明の第２の実施形態に係るナット取外し工具の一例のナット取外しグリップを図面に基づき説明する。図９および図１０において、５１はナット取外しグリップ（以下、グリップという）であり、第１の実施形態のグリップ１とは係合部の具体的構造および緩み止めナット４に係止されるコイルスプリング５７のグリップ側エンド５７ｃの形状が相違するのみで、その他は当該グリップ５１が使用される締結構造を含め同一であるので、同一部分の説明を省略し、相違する係合部およびコイルスプリング５７のみを説明する。なお、コイルスプリング５７を除く締結構造中の同一部分については、第１の実施形態と同一番号を付す。前記グリップ５１の係合部は、第１段部５１ｅから所定の間隔をおいて延びる２本の係合ピン５８，５８でなっており、これら係合ピン５８，５８は緩み止めナット４のナット部５の駆動面５ａそれぞれに対して設けられている。これら係合ピン５８，５８は第１の実施形態の係合ピン８と同一構造をなしており、これらの間隔は後記折曲げ部長さＬよりもわずかに短く設定されている。これにより、隣接する２本の係合ピン５８，５８間に、コイルスプリング５７が入り込むことがなく、また係合ピン５８がコイルスプリング５７の上に乗り上げても、係合ピン５８がグリップ５１とともに回転するにともなってコイルスプリング５７を乗り越えることができる構成が得られる。前記係合ピン５８，５８は、ナット部５のすべての駆動面５ａに対して設ける必要はなく、第１の実施形態と同様に、少なくとも一つの駆動面５ａ、好ましくは少なくとも対向する一対の駆動面５ａ，５ａにあればよい。
【００２４】
２枚の被締結物２ａ，２ｂをボルト３とともに締結する締結構造をなす緩み止めナット４は、一端がリング部６に係止されるコイルスプリング５７を有している。このコイルスプリング５７のグリップ側エンド５７ｃは、ナット部５の駆動面５ａの中央近くから突出しており、係合ピン５８、５８がナット部５の上面から外れる個所、すなわち係合ピン５８、５８がナット部５の駆動面５ａに沿って深く入り込むことができる空間の上方に位置するように構成されている。また、前記グリップ側エンド５７ｃの先端はほぼ９０度折り曲げられており、この折り曲げ部のみが駆動面５ａから突出して、前記係合ピン５８と係合可能な位置に達している。この折り曲げ部にあっては、前記駆動面５ａに沿う底面視折り曲げ部長さＬは、コイルスプリング５７の線径よりも大きくなるように設定されている。
【００２５】
上記グリップ５１によれば、これを緩み止めナット４のナット部５の位相に関係なくナット部５に押し込んでも、係合ピン５８，５８はリング部６から広がるナット部５の上面に当接するか、隣接する２本の係合ピン５８，５８の一方または両方がコイルスプリング５７上に乗り上げる状態となる。この状態で、グリップ５１を緩み方向に回転させると、係合ピン５８はナット部５の上面に当接するときにはその高さ位置で、またコイルスプリング５７上に乗り上げるときにはコイルスプリング５７を乗り越えてナット部５の上面に当接した後、その位置で回転することができる。これにより、当該係合ピン５８、または緩み方向の回転後方に位置する別の係合ピン５８ａの一方がコイルスプリング５７に係合し、これを緩み方向に押し開いて緩み止め効果を軽減させることができる。この間に、２本の係合ピン５８，５８または５８ａ，５８ａ（以下、５８または５８ａという）がナット部５の駆動面５ａの中央位置近くに達すると、リング部６から広がるナット部５の上面が少なくなって係合ピン５８または５８ａがナット部５から外れる個所、すなわち係合ピン５または５８ａがナット部５の駆動面５ａに沿って深く入り込むことができる空間に達する。この時には、この空間上方にコイルスプリング５７のグリップ側エンド５７ｃがないので、係合ピン５８または５８ａがナット部５の上面から外れて駆動面５ａに沿って深く入り込み、コイルスプリング５７に深く係合する。これにより、コイルスプリング５７が十分に押し開かれた状態で、グリップ５１の緩み方向の駆動力がナット部５に伝達されるので、緩み止めナット４を緩ませて、これを簡単にボルト３から取外すことができる。
【００２６】
（第３の実施形態）
【００２７】
本発明の第３の実施形態に係るナット取外し工具の一例のナット取外しグリップを図面に基づき説明する。図１１ないし図１３において、１０１はナット取外しグリップであり、第１の実施形態のグリップ１とは小円形穴１ｃを有さない点および締結構造をなす緩み止めナット１０４の具体的構造の点で相違するのみで、その他は同一であるので、同一部分の説明を省略し、相違する部分についてのみ説明する。なお、緩み止めナット１０４を除く締結構造中の同一部分については、第１の実施形態と同一番号を付す。前記グリップ１０１の第１段部１０１ｅには、ボルト３が挿通する挿通穴１０１ｄが設けられている。これにより、グリップ１０１は大円形穴１０１ｂと、これに直接連通する挿通穴１０１ｄと、第１段部１０１ｅとを有する構造となっている。前記第１段部１０１ｅに配置される係合部は、後記緩み止めナット１０４に対応してこれが嵌合可能な位置に配置される係合ピン１０８でなっている。この係合ピン１０８は、緩み止めナット１０４のすべての駆動面１０４ａに対して配置されており、緩み方向の回転伝達が容易となっている。この係合ピン１０８は、緩み止めナット１０４のすべての駆動面１０４ａに対応して設ける必要はなく、少なくとも対向する一対の駆動面１０４ａ，１０４ａにあればよい。
【００２８】
また、前記ボルト３と緩み止めナット１０４とによりなる締結構造にあって、グリップ１０１によりボルト３から取外される緩み止めナット１０４は、六角形状をなす長ナットでなっている。この緩み止めナット１０４は、その内面側にボルト３のねじ山３ａが螺合するめねじ部１０４ｂ、これに連通する拡開穴１０４ｃおよびこの拡開穴１０４ｃの一部を拡開する円弧溝１０４ｄとこの円弧溝１０４ｄに連通するように上端に設けられる凹部１０４ｅと、ボルト３のねじ山３ａに螺合するコイルスプリング１０７とを有している。このコイルスプリング１０７は、ボルト３のねじ山３ａの外径よりわずかに小さい内径を持ちかつ当該ねじ山３ａとほぼ同一ピッチで延びるコイル部１０７ａと、緩み止めナット１０４の上端に固定されるナット側エンド１０７ｄと、グリップ側エンド１０７ｃとからなっている。前記ナット側エンド１０７ｄは、わずかに折り曲げられて緩み止めナット１０４の上端の凹部１０４ｅを形成する壁面の一方に固定されている。また、前記グリップ側エンド１０７ｃはその下方で約９０度折り戻されて前記円弧溝１０４ｄ内を通り緩み止めナット１０４の上端から突出している。また、このグリップ側エンド１０７ｃは前記凹部１０４ｅを通ってＵ字状に折り曲げられており、その先端は緩み止めナット１０４の駆動面１０４ａの上縁中心から離れた位置でこの駆動面１０４ａに沿ってその下端に向かって延びている。さらに、グリップ側エンド１０７ｃの先端は前記係合ピン１０８と係合可能な位置に達しており、これによりグリップ側エンド１０７ｃのＵ字部分が係合ピン１０８と係合することができる。
【００２９】
上記グリップ１０１によれば、係合ピン１０８がコイルスプリング１０７よりも緩み方向の回転後方に位置するようにグリップ１０１を押し込むと、係合ピン１０８が緩み止めナット１０４の上端に当接する（図１３中、２点鎖線参照）。この状態で、グリップ１０１を緩み方向に回転させると、緩み止めナット１０４の上面の位置で回転しながら、係合ピン１０８がコイルスプリング１０７のグリップ側エンド１０７ｃに係合し、これを緩み方向に押し開いて緩み止め効果を軽減する。この間に、係合ピン１０８が緩み止めナット１０４の駆動面１０４ａの中央位置近くまで移動すると（図１３中、一点鎖線参照）、緩み止めナット１０４の上面から外れる個所に達するため、係合ピン１０８が駆動面１０４ａに沿って深く入り込み、コイルスプリング１０７に深く係合する。これにより、コイルスプリング１０７が十分に押し開かれた状態で、グリップ１０１の緩み方向の駆動力が緩み止めナット１０４に伝達されるので、緩み止めナット１０４を緩ませて、これを簡単にボルト３から取外すことができる。
【００３０】
以上３つの実施形態に基づき説明したように、本発明はナット部５を有する緩み止めナット４に駆動力を伝達するナット取外し工具であって、緩み止めナット４の内面側にコイルスプリング７を有し、当該コイルスプリング７の一端が緩み止めナット４に係止され、かつ他端が緩み止めナット４の外部に突出する構成を備える緩み止めナット４が挿入可能な大円形穴１ｂと、当該大円形穴１ｂに連なる第１段部１ｅとを有するナット取外しグリップ１を備え、第１段部１ｅには前記コイルスプリング７と前記ナット部５の駆動面５ａとに係合可能な係合ピン８を配置する構成となっている。この構成により、２枚の被締結物２ａ，２ｂをボルト３と緩み止めナット４とにより締結する締結構造にあって、その緩み止めナット４に対して、係合ピン８がコイルスプリング７よりも緩み方向の回転後方に位置するようにグリップ１を押し込むと、係合ピン８がナット部５の上面に当接する。この状態で、グリップ１を回転させると、係合ピン８はその高さ位置で回転しながら、コイルスプリング７と係合し、コイルスプリング７の一端を緩み方向に押し開く間に、係合ピン８がナット部５の駆動面５ａに沿って深く入り込む。これにより、グリップ１の緩み方向の駆動力がナット部５の駆動面５ａから緩み止めナット４に効率よく伝達されて、簡単に緩み止めナット４をボルト３から取外すことができる。
【００３１】
本発明に係る緩み止めナット４は、当該緩み止めナット４のナット部５より小径でかつこれと一体のリング部６を有し、また本発明に係るグリップ１は前記リング部６が挿入可能な小円形穴１ｃを有する構成であってもよい。この場合、グリップ１がリング部６に案内されて円滑に緩み方向に回転でき、コイルスプリング７を無理なく押し開くことができる。
【００３２】
本発明に係る係合部は、好適例として大円形穴１ｂの中心を挟んで対向する位置に配置される係合ピン８，８であってもよい。この構成によれば、製作容易で安価な構造が得られるばかりか、緩み止めナット４のナット部５の対向する二つの駆動面５ａ，５ａと係合してナット部５にグリップ１の回転を効率よく伝達することができる。
【００３３】
また、本発明に係る係合部は、好適例として第１段部１ｅから延びる係合ピン８と、この係合ピン８と併置されて係合ピン８の側部の空間を塞ぐ阻止ピン９とからなる構成であってもよい。この場合、阻止ピン９の軸径および係合ピン８と阻止ピン９との間隙を係合ピン８、阻止ピン９のいずれかがコイルスプリング７、ナット部５の上面のいずれかに当接するように設定しておく。これにより、グリップ１を緩み止めナット４のナット部５の位相に関係なく押し込んでも、いずれかの係合ピン８またはいずれかの阻止ピン９がコイルスプリング７の上面に乗り上げるか、係合ピン８がリング部６から外周方向に広がるナット部５の上面に当接することができる。そのため、ナット部５の上面に当接する位置にある時の係合ピン８はもちろんのこと、コイルスプリング７の上に乗り上げる時の係合ピン８もコイルスプリング７を乗り越えてナット部５の上面に達した後に、その高さ位置で回転する。この間に、前述の係合ピン８または回転後方に位置する別の係合ピン８ａがコイルスプリング７と係合して、これを緩み方向に押し開く。同時に、係合ピン８または８ａおよびこれに併置される阻止ピン９または９ａがナット部５の駆動面５ａに沿って深く入り込み、簡単に緩み止めナット４を緩み方向に回転させてボルト３から取外すことができる。
【００３４】
さらに、本発明に係る係合部は、好適例として第１段部１ｅから所定の間隔をおいて延びる２本の係合ピン５８，５８であって、これら係合ピン５８，５８は緩み止めナット４のナット部５の少なくとも一つの駆動面５ａに対して配置される構成であってもよい。この構成によれば、グリップ５１を緩み止めナット４のナット部５の位相に関係なくナット部５に押し込んでも、係合ピン５８，５８の一方または両方は、リング部６から広がるナット部５の上面に当接するか、これらの一方または両方がコイルスプリング５７上に乗り上げる状態となる。この状態で、グリップ５１を緩み方向に回転させると、係合ピン５８、５８はナット部５の上面に当接するときにはその高さ位置で、またコイルスプリング５７上に乗り上げるときにはコイルスプリング５７を乗り越えてナット部５の上面に当接した後、その位置で回転する。これにより、当該係合ピン５８，５８、または緩み方向の回転後方に位置する別の係合ピン５８ａ，５８ａの一方がコイルスプリング５７に係合し、これを緩み方向に押し開いて緩み止め効果を軽減させることができる。この間に、２本の係合ピン５８，５８または５８ａ，５８ａ（以下、５８または５８ａという）がナット部５の駆動面５ａの中央位置近くまで移動して、ナット部５の上面から外れる個所に達すると、係合ピン５８または５８ａが駆動面５ａに沿って深く押し込まれてコイルスプリング５７に深く係合しながら回転する。これにより、コイルスプリング５７が十分に押し開かれた状態でグリップ５１の緩み方向の駆動力がナット部５に伝達されるので、緩み止めナット４を緩ませて、これをボルト３から取外すことができる。
【００３５】
なお、本発明のナット取外し工具はナット取外しグリップ１，５１，１０１について説明されているが、レンチ構造であってもよく、前述のナット取外しグリップ１，５１，１０１がハンドル（図示せず）の一端または両端もしくは十字ハンドル（図示せず）の各先端に取付けられる構造であってもよい。この場合、グリップ１，５１，１０１の外周に網目ローレット１ａを刻設する必要はない。また、本発明の各部の具体的な構成は上述した実施形態のみに限定されるものではなく、本発明の趣旨を逸脱しない範囲で種々変形が可能である。
【符号の説明】
【００３６】
１…ナット取外しグリップ、    
１ｂ…大円形穴、
１ｄ…挿通穴、    
１ｅ…第１段部、
４…緩み止めナット、    
５…ナット部、    
５ａ…駆動面、    
６…リング部、    
７…コイルスプリング、    
８…係合ピン、
【図１】
0006603569.tif 000002
【図２】
0006603569.tif 000003
【図３】
0006603569.tif 000004
【図４】
0006603569.tif 000005
【図５】
0006603569.tif 000006
【図６】
0006603569.tif 000007
【図７】
0006603569.tif 000008
【図８】
0006603569.tif 000009
【図９】
0006603569.tif 000010
【図１０】
0006603569.tif 000011
【図１１】
0006603569.tif 000012
【図１２】
0006603569.tif 000013
【図１３】
0006603569.tif 000014
【図１４】
0006603569.tif 000015